【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
常時入球可能な第１特図始動口と、
開閉変化する普通電動役物として構成され、前記普通電動役物の閉鎖時には入球不可能であると共に、遊技球が普図始動口に進入すると行われる普図抽選の当たりに基づく前記普通電動役物の開放時に入球容易となる第２特図始動口と、
前記第１特図始動口及び第２特図始動口に共用の共用カウンタと、
前記第１特図始動口又は第２特図始動口への入球に起因して前記共用カウンタから取得された当否乱数と判定テーブルに基づいて当たりとするか否かの当否判定を実行する当否判定手段と、
前記当否判定で当たりと判定されると、賞球数の期待値が相対的に少数の第１開閉制御又は賞球数の期待値が相対的に多数の第２開閉制御に基づいて単一の大入賞口の開閉を行う開閉制御手段と、
前記開閉制御の終了後に前記当否判定手段が使用する判定テーブルを当たり数値の個数が異なる複数の判定テーブルのいずれか１つを択一的に設定する判定テーブル設定手段と
を備える弾球遊技機において、
前記第１特図始動口を上に、前記第２特図始動口を下に配して一体化した複合入賞装置と、
前記第２特図始動口への入球に起因して前記共用のカウンタとは別のカウンタから取得された確変判定用乱数と確変判定テーブルに基づいて確変とするか否かを判定する確変判定手段と、
前記第１特図始動口への入球に起因する第１開閉制御の終了後に前記当否判定手段が使用する判定テーブルを前記記憶された当たり数値の個数が第１判定テーブルよりも多い第２判定テーブルに設定し、前記第２特図始動口への入球に起因する第２開閉制御の終了後に前記確変判定手段による判定に基づいて前記第１判定テーブル又は前記第２判定テーブルのいずれか一方を設定する前記判定テーブル設定手段と、
前記当否判定手段が使用する判定テーブルとして前記第２判定テーブルが設定されているときには、前記第１判定テーブルが設定されているときに比べて、前記第２特図始動口である普通電動役物の単位時間当たりの開放頻度を高め且つ１回の開放時間を長くする普通電動役物制御手段と
を備えたことを特徴とする弾球遊技機。
【請求項２】
前記第１開閉制御によって前記大入賞口を開閉動作するときの該大入賞口の開放時間は前記第２開閉制御による前記大入賞口の開閉動作時と比べて極めて短く設定されているが、開閉回数は前記第２開閉制御による前記大入賞口の開閉動作と同一回数に設定されていることを特徴とする請求項１記載の弾球遊技機。
【請求項３】
前記第１開閉制御によって前記大入賞口を開閉動作するときの該大入賞口の開放時間は前記第２開閉制御による前記大入賞口の開閉動作時と比べて極めて短く設定されており、開閉回数は前記第２開閉制御による前記大入賞口の開閉動作時よりも少なく設定されていることを特徴とする請求項１記載の弾球遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項１記載の弾球遊技機は、
常時入球可能な第１特図始動口と、
開閉変化する普通電動役物として構成され、前記普通電動役物の閉鎖時には入球不可能であると共に、遊技球が普図始動口に進入すると行われる普図抽選の当たりに基づく前記普通電動役物の開放時に入球容易となる第２特図始動口と、
前記第１特図始動口及び第２特図始動口に共用の共用カウンタと、
前記第１特図始動口又は第２特図始動口への入球に起因して前記共用カウンタから取得された当否乱数と判定テーブルに基づいて当たりとするか否かの当否判定を実行する当否判定手段と、
前記当否判定で当たりと判定されると、賞球数の期待値が相対的に少数の第１開閉制御又は賞球数の期待値が相対的に多数の第２開閉制御に基づいて単一の大入賞口の開閉を行う開閉制御手段と、
前記開閉制御の終了後に前記当否判定手段が使用する判定テーブルを当たり数値の個数が異なる複数の判定テーブルのいずれか１つを択一的に設定する判定テーブル設定手段と
を備える弾球遊技機において、
前記第１特図始動口を上に、前記第２特図始動口を下に配して一体化した複合入賞装置と、
前記第２特図始動口への入球に起因して前記共用のカウンタとは別のカウンタから取得された確変判定用乱数と確変判定テーブルに基づいて確変とするか否かを判定する確変判定手段と、
前記第１特図始動口への入球に起因する第１開閉制御の終了後に前記当否判定手段が使用する判定テーブルを前記記憶された当たり数値の個数が第１判定テーブルよりも多い第２判定テーブルに設定し、前記第２特図始動口への入球に起因する第２開閉制御の終了後に前記確変判定手段による判定に基づいて前記第１判定テーブル又は前記第２判定テーブルのいずれか一方を設定する前記判定テーブル設定手段と、
前記当否判定手段が使用する判定テーブルとして前記第２判定テーブルが設定されているときには、前記第１判定テーブルが設定されているときに比べて、前記第２特図始動口である普通電動役物の単位時間当たりの開放頻度を高め且つ１回の開放時間を長くする普通電動役物制御手段と
を備えたことを特徴とする。
【手続補正４】
【補正対象書類名】明細書
【補正対象項目名】００１０
【補正方法】変更
【補正の内容】
【００１０】
この請求項１記載の弾球遊技機では、当否判定で当たりと判定されると、賞球数の期待値が相対的に少数の第１開閉制御（従来技術の小当たりに相当）又は賞球数の期待値が相対的に多数の第２開閉制御（従来技術の大当たりに相当）を行う。
また、第１特図始動口への入球に起因する第１開閉制御の終了後に当否判定手段が使用する判定テーブルを記憶された当たり数値の個数が第１判定テーブルよりも多い第２判定テーブルに設定する。
【手続補正５】
【補正対象書類名】明細書
【補正対象項目名】００４１
【補正方法】変更
【補正の内容】
【００４１】
請求項１記載の弾球遊技機においては、第１特図始動口及び普通電動役物として構成された第２特図始動口を、遊技盤面上を流下する遊技球の同一流下経路に沿って配置することができ、このように配置することで、普通電動役物として構成された第２特図始動口が開放する場合にも発射強度を変更する必要がなく、突然開放するように構成しても遊技者に損害を与えないようにすることができる。
【手続補正６】
【補正対象書類名】明細書
【補正対象項目名】００４６
【補正方法】変更
【補正の内容】
【００４６】
このように構成して、第１特図始動口及び第２特図始動口を同一流下経路に沿って配置することで、普通電動役物として構成された第２特図始動口が開放する場合にも発射強度を変更する必要がなくすことができると共に、大入賞口も同一流下経路に沿って配置することで小当たりや大当たりが生起しても発射強度を変更する必要がなく、普通電動役物や大入賞口を突然開放するように構成しても遊技者に損害を与えないようにすることができる。
【手続補正７】
【補正対象書類名】明細書
【補正対象項目名】００４８
【補正方法】変更
【補正の内容】
【００４８】
請求項２記載の弾球遊技機は、前記第１開閉制御によって前記大入賞口を開閉動作するときの該大入賞口の開放時間は前記第２開閉制御による前記大入賞口の開閉動作時と比べて極めて短く設定されているが、開閉回数は前記第２開閉制御による前記大入賞口の開閉動作と同一回数に設定されていることを特徴とする請求項１記載の弾球遊技機である。
【手続補正８】
【補正対象書類名】明細書
【補正対象項目名】００５０
【補正方法】変更
【補正の内容】
【００５０】
請求項３記載の弾球遊技機は、前記第１開閉制御によって前記大入賞口を開閉動作するときの該大入賞口の開放時間は前記第２開閉制御による前記大入賞口の開閉動作時と比べて極めて短く設定されており、開閉回数は前記第２開閉制御による前記大入賞口の開閉動作時よりも少なく設定されていることを特徴とする請求項１記載の弾球遊技機である。